(57)【要約】【課題】実行中の処理の進捗度合を容易に認識させる。【解決手段】撮像装置１００であって、特定の処理を実行する画像データ生成部４と、特定の処理の実行中に、所定の時間間隔毎に当該特定の処理の進捗状況を取得する進捗状況取得部５と、取得された特定の処理の進捗状況を所定の態様で放音又は振動して報知する報知部６と、を備えている。【選択図】図１
2015055807.tif 000002
【特許請求の範囲】
【請求項１】
特定の処理を実行する処理手段と、
この処理手段による前記特定の処理の実行中に、所定の時間間隔毎に当該特定の処理の進捗状況を取得する取得手段と、
この取得手段により取得された前記特定の処理の進捗状況を所定の態様で放音又は振動して報知する報知手段と、
を備えたことを特徴とする報知装置。
【請求項２】
前記取得手段は、
前記特定の処理を構成する全ての工程のうち、前記処理手段により所定の時点で実行済みの工程数の割合を、当該特定の処理の進捗状況として取得することを特徴とする請求項１に記載の報知装置。
【請求項３】
前記取得手段は、
前記処理手段による前記特定の処理の実行完了に要する時間に対する所定の時点までの実行時間の割合を、当該特定の処理の進捗状況として取得することを特徴とする請求項１に記載の報知装置。
【請求項４】
前記特定の処理は、所定数の画像に基づいて所定の符号化方式で符号化した映像を生成する処理を含むことを特徴とする請求項１〜３の何れか一項に記載の報知装置。
【請求項５】
撮像手段と、
所定の撮像スケジュールに従って、前記撮像手段が所定の時間間隔毎に撮像する撮像処理を実行させる撮像制御手段と、を更に備え、
前記処理手段は、前記撮像処理が完了したことを契機として、前記特定の処理を実行することを特徴とする請求項１〜４の何れか一項に記載の報知装置。
【請求項６】
前記報知手段は、更に、
前記撮像制御手段による前記撮像処理の実行中に、前記所定の撮像スケジュールに応じた所定の時点での当該撮像処理の進捗状況を所定の態様で放音又は振動して報知することを特徴とする請求項５に記載の報知装置。
【請求項７】
各部に電源を供給する蓄電池と、
この蓄電池の蓄電残量を検出する検出手段と、を更に備え、
前記報知手段は、
前記撮像制御手段による前記撮像処理の実行中に、前記検出手段により検出された前記蓄電池の蓄電残量を所定の態様で放音又は振動して報知することを特徴とする請求項５に記載の報知装置。
【請求項８】
報知装置を用いた報知方法であって、
特定の処理を実行する処理と、
前記特定の処理の実行中に、所定の時間間隔毎に当該特定の処理の進捗状況を取得する処理と、
取得された前記特定の処理の進捗状況を所定の態様で放音又は振動して報知する処理と、
を含むことを特徴とする報知方法。
【請求項９】
報知装置のコンピュータを、
特定の処理を実行する処理手段、
この処理手段による前記特定の処理の実行中に、所定の時間間隔毎に当該特定の処理の進捗状況を取得する取得手段、
この取得手段により取得された前記特定の処理の進捗状況を所定の態様で放音又は振動して報知する報知手段、
として機能させることを特徴とするプログラム。
【発明の詳細な説明】
【技術分野】
【０００１】
本発明は、報知装置、報知方法及びプログラムに関する。
【背景技術】
【０００２】
従来、通信時における転送中、通信待ち、ヘッダー送受信、データ本体送受信等の各処理状態を音により報知する情報処理装置が知られている（例えば、特許文献１参照）。
【先行技術文献】
【特許文献】
【０００３】
【特許文献１】特開２００１−３０６２９４号公報
【発明の概要】
【発明が解決しようとする課題】
【０００４】
しかしながら、上記特許文献１の場合、ユーザは音により通信時における各処理状態を識別することができるものの、実行中の処理の完了までにどの程度時間を要するのかや、当該処理がどの程度の割合完了しているのか等は認識することができないといった問題がある。
【０００５】
そこで、本発明の課題は、実行中の処理の進捗度合を容易に認識させることができる報知装置、報知方法及びプログラムを提供することである。
【課題を解決するための手段】
【０００６】
上記課題を解決するため、本発明に係る報知装置は、
特定の処理を実行する処理手段と、この処理手段による前記特定の処理の実行中に、所定の時間間隔毎に当該特定の処理の進捗状況を取得する取得手段と、この取得手段により取得された前記特定の処理の進捗状況を所定の態様で放音又は振動して報知する報知手段と、を備えたことを特徴としている。
【０００７】
また、本発明に係る報知方法は、
報知装置を用いた報知方法であって、特定の処理を実行する処理と、前記特定の処理の実行中に、所定の時間間隔毎に当該特定の処理の進捗状況を取得する処理と、取得された前記特定の処理の進捗状況を所定の態様で放音又は振動して報知する処理と、を含むことを特徴としている。
【０００８】
また、本発明に係るプログラムは、
報知装置のコンピュータを、特定の処理を実行する処理手段、この処理手段による前記特定の処理の実行中に、所定の時間間隔毎に当該特定の処理の進捗状況を取得する取得手段、この取得手段により取得された前記特定の処理の進捗状況を所定の態様で放音又は振動して報知する報知手段、として機能させることを特徴としている。
【発明の効果】
【０００９】
本発明によれば、実行中の処理の進捗度合を容易に認識させることができる。
【図面の簡単な説明】
【００１０】
【図１】本発明を適用した一実施形態の撮像装置の概略構成を示す図である。
【図２】図１の撮像装置によるインターバル撮像処理に係る動作の一例を示すフローチャートである。
【図３】図２のインターバル撮像処理におけるタイムラプス動画生成処理に係る動作の一例を示すフローチャートである。
【図４】変形例１の撮像装置によるインターバル撮像処理に係る動作の一例を示すフローチャートである。
【図５】変形例２の撮像装置の概略構成を示す図である。
【図６】図５の撮像装置によるインターバル撮像処理に係る動作の一例を示すフローチャートである。
【発明を実施するための形態】
【００１１】
以下に、本発明について、図面を用いて具体的な態様を説明する。ただし、発明の範囲は、図示例に限定されない。
図１は、本発明を適用した一実施形態の撮像装置１００の概略構成を示す図である。
【００１２】
図１に示すように、本実施形態の撮像装置１００は、中央制御部１と、メモリ２と、撮像部３と、画像データ生成部４と、進捗状況取得部５と、報知部６と、報知制御部７と、電源部８と、操作入力部９等を備えている。
また、中央制御部１、メモリ２、撮像部３、画像データ生成部４、進捗状況取得部５、報知部６、報知制御部７及び電源部８は、バスライン１０を介して接続されている。
【００１３】
中央制御部１は、撮像装置１００の各部を制御するものである。具体的には、中央制御部１は、撮像装置１００の各部を制御するＣＰＵ（図示略）を具備し、撮像装置１００用の各種処理プログラム（図示略）に従って各種の制御動作を行う。
【００１４】
メモリ２は、例えば、ＤＲＡＭ等により構成されている。また、メモリ２は、中央制御部１等によって処理されるデータ等を一時的に記憶するバッファメモリや、中央制御部１などのワーキングメモリ、当該撮像装置１００の機能に係る各種プログラムやデータが格納されたプログラムメモリ等（何れも図示略）を備えている。
【００１５】
撮像部３は、レンズ部３ａと、電子撮像部３ｂと、撮像制御部３ｃとを備えている。
【００１６】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-oxide Semiconductor）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１７】
撮像制御部３ｃは、図示は省略するが、タイミング発生器、ドライバなどを備えている。そして、撮像制御部３ｃは、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部４に出力させる。
また、撮像制御部（撮像制御手段）３ｃは、ユーザによる操作入力部９の所定操作に基づいて設定された所定の撮像スケジュールに従って、電子撮像部（撮像手段）３ｂが所定の時間間隔毎に撮像する撮像処理を実行させる。具体的には、撮像制御部３ｃは、所定の時間間隔毎に、レンズ部３ａを通過した被写体の光学像を電子撮像部３ｂにより二次元の画像信号に変換させることで、一連の複数の静止画像を撮像する撮像処理を実行させる（所謂、インターバル撮像処理）。
このとき、撮像制御部３ｃは、少なくとも何れか一の撮像タイミングにて、複数枚の静止画像を連続して撮像させるようにしても良く、この場合には、所定の時間間隔毎に複数毎の静止画像が撮像された状態となる。
【００１８】
また、撮像制御部３ｃは、ＡＦ（自動合焦処理）、ＡＥ（自動露出処理）、ＡＷＢ（自動ホワイトバランス）等の被写体の撮像条件の調整制御を行う。
【００１９】
画像データ生成部４は、電子撮像部３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
そして、画像データ生成部４は、生成された各フレーム画像のＹＵＶデータをメモリ２に順次出力し、当該メモリ２に格納させる。
【００２０】
また、画像データ生成部４は、撮像処理により撮像された所定数の画像に基づいてタイムラプス動画（映像）を生成する。
具体的には、画像データ生成部４は、インターバル撮像処理が所定の撮像スケジュールに従って完了したことを契機として、タイムラプス動画の生成処理（特定の処理）を実行する。即ち、画像データ生成部４は、所定の時間間隔毎に撮像部３により撮像された一連の複数の静止画像の画像データを連結してタイムラプス動画の画像データを生成する。例えば、画像データ生成部４は、一連の複数の静止画像の画像データを所定の符号化方式（例えば、Motion-JPEG形式等）で符号化してタイムラプス動画の画像データを生成する。ここで、タイムラプス動画の画像データは、所定時間以上かかる特定の処理であり、画像データ生成部４は、特定の処理を実行する処理手段を構成している。
また、各撮像タイミングにて撮像部３により複数毎の静止画像が撮像されている場合には、画像データ生成部４は、少なくとも何れか一の撮像タイミングにて撮像された複数枚の静止画像を代表する代表画像を特定して、特定された代表画像を用いてタイムラプス動画の画像データを生成しても良い。
【００２１】
進捗状況取得部（取得手段）５は、所定の時間間隔毎にタイムラプス動画の生成処理の進捗状況を取得する。
即ち、進捗状況取得部５は、画像データ生成部４によるタイムラプス動画の生成処理（特定の処理）の実行中に、所定の時間間隔毎に当該生成処理の進捗状況を取得する。具体的には、進捗状況取得部５は、タイムラプス動画の生成処理にて画像データ生成部４により実行される当該生成処理を構成する全ての工程のうち、画像データ生成部４により所定の時点で実行済みの工程数の割合（或いは、全工程数に対する未実行の工程数の割合等）を、当該生成処理の進捗状況として逐次取得する。例えば、進捗状況取得部５は、予めタイムラプス動画の生成処理にて画像データ生成部４により実行される当該生成処理を構成する全ての工程数を画像データ生成部４から取得しておき、タイムラプス動画の生成処理の所定の時点で実行済みの工程数を画像データ生成部４から取得する。そして、進捗状況取得部５は、当該生成処理を構成する全ての工程数に対する所定の時点で実行済みの工程数の割合を算出して、当該生成処理の進捗状況として取得する。
また、進捗状況取得部５は、画像データ生成部４によるタイムラプス動画の生成処理の実行完了に要する総時間に対する所定の時点までの実行時間の割合（或いは、総時間に対する所定の時点から処理完了までかかる時間の割合等）を、当該生成処理の進捗状況として逐次取得する。例えば、進捗状況取得部５は、予め画像データ生成部４によるタイムラプス動画の生成処理の実行が完了するまでにかかる予定される総時間を画像データ生成部４から取得しておき、タイムラプス動画の生成処理の所定の時点までにかかった実行時間を画像データ生成部４から取得する。そして、進捗状況取得部５は、当該生成処理の実行が完了するまでにかかる総時間に対する所定の時点までにかかった実行時間の割合を算出して、当該生成処理の進捗状況として取得する。
【００２２】
報知部（報知手段）６は、進捗状況取得部５により取得されたタイムラプス動画の生成処理（特定の処理）の進捗状況を所定の態様で放音して報知する。具体的には、報知部６は、例えば、スピーカ等から構成された放音部（放音手段）６ａを具備している。
【００２３】
放音部６ａは、所定の報知音等の音データをデータ変換部（図示略）によりＤ／Ａ変換処理して所定の放音態様で所定の音を発する。
即ち、放音部６ａは、報知制御部７の制御下にて、タイムラプス動画の生成処理の進捗状況に応じた所定の放音態様で放音する。具体的には、放音部６ａは、例えば、タイムラプス動画の生成処理の進捗状況に応じて、放音の回数、放音の周期、放音の周波数のうちの何れか一を異ならせた放音態様でそれぞれビープ音を放音する。
【００２４】
報知制御部７は、報知部６によるタイムラプス動画の生成処理の進捗状況の報知を制御する。
即ち、報知制御部７は、更に、進捗状況取得部５により取得されたタイムラプス動画の生成処理の進捗状況に応じた所定の放音態様で放音して当該進捗状況を報知させるように放音部６ａを制御する。具体的には、例えば、報知制御部７は、放音部６ａに対してタイムラプス動画の生成処理の進捗状況（例えば、全工程数に対する未実行の工程数が７０％以上、２０％以上７０％未満、２０％未満等）に応じて放音の回数や周期や周波数を異ならせて放音部６ａから放音させる放音制御指示をそれぞれ出力する。
そして、放音部６ａは、報知制御部７から出力された放音制御指示が入力されると、当該放音制御指示に従ってタイムラプス動画の生成処理の進捗状況に応じた所定の放音態様（例えば、第１〜第３の放音態様等）で放音する。
【００２５】
電源部８は、当該装置本体を構成する各部に電源を供給する。具体的には、電源部８は、例えば、各種方式の蓄電池（例えば、リチウムイオン電池、ニッケル・水素充電池等）から構成された蓄電池８ａを具備している。
【００２６】
操作入力部９は、装置本体に対して各種指示を入力するためのものである。
具体的には、操作入力部９は、例えば、装置本体の電源のＯＮ／ＯＦＦに係る電源ボタン、被写体の撮像指示に係るシャッタボタン、撮像モードや機能等の選択指示に係る選択決定ボタン、ズーム量の調整指示に係るズームボタン（何れも図示略）等を備えている。そして、ユーザにより各種ボタンが操作されると、操作入力部９は、操作されたボタンに応じた操作指示を中央制御部１に出力する。中央制御部１は、操作入力部９から出力され入力された操作指示に従って所定の動作（例えば、被写体の撮像等）を各部に実行させる。
【００２７】
＜インターバル撮像処理＞
以下に、インターバル撮像処理について、図２を参照して詳細に説明する。
図２は、インターバル撮像処理に係る動作の一例を示すフローチャートである。
【００２８】
図２に示すように、先ず、撮像制御部３ｃは、例えば、ユーザによる操作入力部９の所定操作に基づいて入力された撮像処理の時間間隔、一の撮像タイミングにおける静止画像の撮像枚数、撮像処理の開始時刻や終了時刻等を処理内容として設定する（ステップＳ１）。
【００２９】
次に、撮像制御部３ｃは、設定された処理内容に基づいて、撮像処理の開始タイミングであるか否かを判定する（ステップＳ２）。
ここで、撮像処理の開始タイミングでないと判定されると（ステップＳ２；ＮＯ）、撮像制御部３ｃは、撮像処理の開始タイミングであると判定（ステップＳ２；ＹＥＳ）されるまで、当該判定処理を繰り返し実行する（ステップＳ２）。
【００３０】
ステップＳ２にて、撮像処理の開始タイミングであると判定されると（ステップＳ２；ＹＥＳ）、撮像制御部３ｃは、被写体の撮像処理を所定の時間間隔毎に繰り返し実行する（ステップＳ３）。具体的には、撮像制御部３ｃは、各撮像タイミングにて、レンズ部３ａを通過した被写体の光学像を電子撮像部３ｂにより二次元の画像信号に変換させる処理を連続して複数回行うことで、複数枚の静止画像を連続して撮像させる。
その後、画像データ生成部４は、電子撮像部３ｂから転送された各静止画像のＹＵＶデータ（画像データ）を生成した後、メモリ２に順次出力して当該メモリ２に格納させる。
【００３１】
そして、撮像制御部３ｃは、設定された処理内容に基づいて、撮像処理の終了タイミングであるか否かを判定する（ステップＳ４）。
ここで、撮像処理の終了タイミングでないと判定されると（ステップＳ４；ＮＯ）、撮像制御部３ｃは、処理をステップＳ３に戻し、被写体の撮像処理を所定の時間間隔毎に繰り返し実行する（ステップＳ３）。
【００３２】
ステップＳ４にて、撮像処理の終了タイミングであると判定されると（ステップＳ４；ＹＥＳ）、画像データ生成部４は、タイムラプス動画生成処理（図３参照）を実行する（ステップＳ５；詳細後述）。
【００３３】
＜タイムラプス動画生成処理＞
以下に、タイムラプス動画生成処理について、図３を参照して詳細に説明する。
図３は、タイムラプス動画生成処理に係る動作の一例を示すフローチャートである。
【００３４】
図３に示すように、先ず、画像データ生成部４は、各撮像タイミングにて撮像された画像をそれぞれ特定する（ステップＳ１１）。具体的には、画像データ生成部４は、各撮像タイミング毎に撮像された複数枚の静止画の画像データを取得する。
【００３５】
次に、画像データ生成部４は、各撮像タイミング毎に特定された複数枚の画像の画像データを所定の符号化方式（例えば、Motion-JPEG形式等）で符号化してタイムラプス動画の画像データを生成する処理を開始する（ステップＳ１２）。
【００３６】
そして、進捗状況取得部５は、所定の時間間隔毎にタイムラプス動画の生成処理の進捗状況を逐次取得する（ステップＳ１３）。具体的には、進捗状況取得部５は、タイムラプス動画の生成処理にて画像データ生成部４により実行される当該生成処理を構成する全ての工程のうち、画像データ生成部４により所定の時点で未実行の工程数の割合を、当該生成処理の進捗状況として逐次取得する。
次に、報知制御部７は、進捗状況取得部５により取得されたタイムラプス動画の生成処理の進捗状況に応じて処理を分岐させる（ステップＳ１４）。即ち、報知制御部７は、所定の時点で全工程数に対する未実行の工程数の割合が７０％以上である場合には（ステップＳ１４；７０％以上）、処理をステップＳ１５１に移行し、全工程数に対する未実行の工程数の割合が２０％以上７０％未満である場合には（ステップＳ１４；２０％〜７０％）、処理をステップＳ１５２に移行し、全工程数に対する未実行の工程数の割合が２０％未満である場合には（ステップＳ１４；２０％未満）、処理をステップＳ１５３に移行する。
【００３７】
全工程数に対する未実行の工程数の割合が７０％以上である場合（ステップＳ１４；７０％以上）、報知制御部７は、報知部６に対してビープ音を第１の放音態様で放音部６ａから放音させる第１放音制御指示を出力する。そして、放音部６ａは、入力された第１放音制御指示に従って所定の周波数のビープ音を所定の周期で３回連続して（第１の放音態様で）放音する（ステップＳ１５１）。
また、全工程数に対する未実行の工程数の割合が２０％以上７０％未満である場合（ステップＳ１４；２０％〜７０％）、報知制御部７は、報知部６に対してビープ音を第２の放音態様で放音部６ａから放音させる第２放音制御指示を出力する。そして、放音部６ａは、入力された第２放音制御指示に従って所定の周波数のビープ音を所定の周期で２回連続して（第２の放音態様で）放音する（ステップＳ１５２）。
また、全工程数に対する未実行の工程数の割合が２０％未満である場合（ステップＳ１４；２０％未満）、報知制御部７は、報知部６に対してビープ音を第３の放音態様で放音部６ａから放音させる第３放音制御指示を出力する。そして、放音部６ａは、入力された第３放音制御指示に従って所定の周波数のビープ音を１回（第３の放音態様で）ビープ音を放音する（ステップＳ１５３）。
【００３８】
なお、ビープ音の放音態様として、放音回数を異ならせたものを例示したが、一例であってこれに限られるものではなく、タイムラプス動画の生成処理の進捗状況に応じて、例えば、ビープ音の周期を異ならせても良いし、また、ビープ音の周波数を異ならせても良いし、また、放音回数、周期及び周波数のうちの少なくとも何れか二つを異ならせても良い。
【００３９】
その後、画像データ生成部４は、タイムラプス動画の生成が完了したか否かを判定する（ステップＳ１６）。
ここで、タイムラプス動画の生成が完了していないと判定されると（ステップＳ１６；ＮＯ）、中央制御部１のＣＰＵは、処理をステップＳ１３に戻し、進捗状況取得部５は、所定の時間間隔毎にタイムラプス動画の生成処理の進捗状況を逐次取得する（ステップＳ１３）。
【００４０】
一方、ステップＳ１６にて、タイムラプス動画の生成が完了したと判定されると（ステップＳ１６；ＹＥＳ）、画像データ生成部４は、生成されたタイムラプス動画の画像データを図示しない記録媒体に転送して記録させ、その後、放音部６ａは、タイムラプス動画の生成が完了したことを表すビープ音を放音する（ステップＳ１７）。
これにより、タイムラプス動画生成処理を終了する。
【００４１】
以上のように、本実施形態の撮像装置１００によれば、特定の処理（例えば、所定数の画像に基づいて所定の符号化方式で符号化したタイムラプス動画の生成処理等）の実行中に、所定の時間間隔毎に当該特定の処理の進捗状況を取得し、取得された特定の処理の進捗状況を所定の放音態様で放音して報知するので、特定の処理の進捗状況に応じて放音態様を異ならせて放音することで当該装置本体の表示部等をユーザに視認させることなく、放音態様により特定の処理の進捗状況をユーザに容易に認識させることができる。
具体的には、特定の処理を構成する全ての工程のうち、所定の時点で実行済みの工程数の割合を、当該特定の処理の進捗状況として取得するので、特定の処理の全ての工程に対する所定の時点で実行済みの工程数の割合を所定の放音態様で放音して報知することができる。また、特定の処理の実行完了に要する総時間に対する所定の時点までの実行時間の割合を、当該特定の処理の進捗状況として取得するので、特定の処理の実行完了に要する総時間に対する所定の時点までの実行時間の割合を所定の放音態様で放音して報知することができる。これにより、例えば、特定の処理の処理完了時に対する処理の進行度合や実行中の特定の処理の完了までにどの程度時間を要するのか等をユーザに認識させることができる。
【００４２】
また、インターバル撮像処理が所定の撮像スケジュールに従って完了したことを契機として、タイムラプス動画の生成処理を実行するので、当該タイムラプス動画の生成処理にて、所定の時間間隔毎に当該生成処理の進捗状況を所定の放音態様で放音して報知することができる。
【００４３】
なお、タイムラプス動画生成の際に利用される静止画は、撮影タイミング毎に撮像された全ての静止画でなくても良く、例えば、所定間隔で間引いたものであっても良い。
また、各撮像タイミングにて撮像された画像は、動画を含んでいても良い。この場合、タイムラプス動画生成の際に利用される静止画は、上記動画において、手ぶれ量や被写体ぶれ量や構図等を考慮し選択されたフレームを含むようにしても良い。
【００４４】
さらにまた、本発明は、上記実施形態に限定されることなく、本発明の趣旨を逸脱しない範囲において、種々の改良並びに設計の変更を行っても良い。
以下に、撮像装置１００の変形例について説明する。なお、撮像装置１００の変形例にあっては、以下に詳細に説明する以外の点で上記実施形態の撮像装置１００と略同様であり、詳細な説明は省略する。
【００４５】
＜変形例１＞
変形例１の撮像装置１００は、インターバル撮像処理の実行中に、所定の撮像スケジュールに応じた所定の時点での撮像処理の進捗状況を所定の放音態様で放音して報知する（図４参照）。
即ち、進捗状況取得部５は、インターバル撮像処理の実行中に、所定の撮像スケジュールに応じた所定の時点での撮像処理の進捗状況を取得する。具体的には、進捗状況取得部５は、例えば、インターバル撮像処理の各撮像タイミングにて、所定の時点での撮像が何番目の撮像であるかを特定し、当該特定の結果から全撮像回数に対する実行済みの撮像回数の割合を、当該撮像処理の進捗状況として逐次取得する。
【００４６】
報知制御部７は、例えば、放音部６ａに対してインターバル撮像処理の進捗状況（例えば、全撮像回数に対する実行済みの撮像回数が７０％以上、２０％以上７０％未満、２０％未満等）に応じて放音の回数や周期や周波数を異ならせて放音部６ａから放音させる放音制御指示をそれぞれ出力する。
そして、放音部６ａは、報知制御部７から出力された放音制御指示が入力されると、当該放音制御指示に従ってインターバル撮像処理の進捗状況に応じた所定の放音態様（例えば、第１〜第３の放音態様等）で放音する。
【００４７】
＜インターバル撮像処理＞
以下に、インターバル撮像処理について、図４を参照して詳細に説明する。
図４は、インターバル撮像処理に係る動作の一例を示すフローチャートである。
【００４８】
図４に示すように、上記実施形態のインターバル撮像処理と略同様に、先ず、撮像制御部３ｃは、例えば、ユーザによる操作入力部９の所定操作に基づいて入力された撮像処理の時間間隔、一の撮像タイミングにおける静止画像の撮像枚数、撮像処理の開始時刻や終了時刻等を処理内容として設定する（ステップＳ１）。
【００４９】
次に、撮像制御部３ｃは、設定された処理内容に基づいて、被写体の撮像タイミングであるか否か、即ち、被写体の撮像の開始タイミングであるか否かを判定する（ステップＳ２２）。
ここで、被写体の撮像タイミングでないと判定されると（ステップＳ２２；ＮＯ）、撮像制御部３ｃは、被写体の撮像タイミングであると判定（ステップＳ２２；ＹＥＳ）されるまで、当該判定処理を繰り返し実行する（ステップＳ２２）。
【００５０】
ステップＳ２２にて、被写体の撮像タイミングであると判定されると（ステップＳ２２；ＹＥＳ）、撮像制御部３ｃは、被写体の撮像処理を実行する（ステップＳ２３）。具体的には、撮像制御部３ｃは、レンズ部３ａを通過した被写体の光学像を電子撮像部３ｂにより二次元の画像信号に変換させる処理を行い、画像データ生成部４は、電子撮像部３ｂから転送された静止画像のＹＵＶデータ（画像データ）を生成した後、メモリ２に出力して当該メモリ２に格納させる。
【００５１】
次に、進捗状況取得部５は、所定の撮像スケジュールにおける何番目の撮像であるかを特定し、当該特定の結果から全撮像回数に対する実行済みの撮像回数の割合を、当該撮像処理の進捗状況として逐次取得する（ステップＳ２４）。
続けて、報知制御部７は、進捗状況取得部５により取得されたインターバル撮像処理の進捗状況に応じて処理を分岐させる（ステップＳ２５）。即ち、報知制御部７は、所定の時点で全撮像回数に対する実行済みの撮像回数の割合が７０％以上である場合には（ステップＳ２５；７０％以上）、処理をステップＳ２６１に移行し、全撮像回数に対する実行済みの撮像回数の割合が２０％以上７０％未満である場合には（ステップＳ２５；２０％〜７０％）、処理をステップＳ２６２に移行し、全撮像回数に対する実行済みの撮像回数の割合が２０％未満である場合には（ステップＳ２５；２０％未満）、処理をステップＳ２６３に移行する。
【００５２】
全撮像回数に対する実行済みの撮像回数の割合が７０％以上である場合（ステップＳ２５；７０％以上）、報知制御部７は、報知部６に対してビープ音を第１の放音態様で放音部６ａから放音させる第１放音制御指示を出力する。そして、放音部６ａは、入力された第１放音制御指示に従って所定の周波数のビープ音を所定の周期で３回連続して（第１の放音態様で）放音する（ステップＳ２６１）。
また、全撮像回数に対する実行済みの撮像回数の割合が２０％以上７０％未満である場合（ステップＳ２５；２０％〜７０％）、報知制御部７は、報知部６に対してビープ音を第２の放音態様で放音部６ａから放音させる第２放音制御指示を出力する。そして、放音部６ａは、入力された第２放音制御指示に従って所定の周波数のビープ音を所定の周期で２回連続して（第２の放音態様で）放音する（ステップＳ２６２）。
また、全撮像回数に対する実行済みの撮像回数の割合が２０％未満である場合（ステップＳ２５；２０％未満）、報知制御部７は、報知部６に対してビープ音を第３の放音態様で放音部６ａから放音させる第３放音制御指示を出力する。そして、放音部６ａは、入力された第３放音制御指示に従って所定の周波数のビープ音を１回（第３の放音態様で）ビープ音を放音する（ステップＳ２６３）。
【００５３】
次に、撮像制御部３ｃは、設定された処理内容に基づいて、撮像の終了タイミングであるか否かを判定する（ステップＳ２７）。
ここで、撮像の終了タイミングでないと判定されると（ステップＳ２７；ＮＯ）、撮像制御部３ｃは、処理をステップＳ２２に戻し、被写体の撮像タイミングであるか否かを判定する（ステップＳ２２）。
【００５４】
ステップＳ２７にて、撮像の終了タイミングであると判定されると（ステップＳ２７；ＹＥＳ）、放音部６ａは、インターバル撮像処理が完了したことを表すビープ音を放音して（ステップＳ２８）、インターバル撮像処理を終了する。
なお、インターバル撮像処理後には、画像データ生成部４は、タイムラプス動画の生成処理を行っても良い。
【００５５】
従って、変形例１の撮像装置によれば、インターバル撮像処理の実行中に、所定の撮像スケジュールに応じた所定の時点での当該撮像処理の進捗状況を所定の放音態様で放音して報知するので、インターバル撮像処理の進捗状況に応じて放音態様を異ならせて放音することで当該装置本体の表示部等をユーザに視認させることなく、放音態様によりインターバル撮像処理の進捗状況をユーザに容易に認識させることができる。
【００５６】
＜変形例２＞
図５は、変形例２の撮像装置２００の概略構成を示す図である。
変形例２の撮像装置２００は、撮像処理の実行中に、蓄電残量検出部８ｂにより検出された蓄電池８ａの蓄電残量を所定の放音態様で放音して報知する。
【００５７】
即ち、電源部８は、蓄電池８ａの蓄電残量を検出する蓄電残量検出部（検出手段）９ｂを具備している（図５参照）。
蓄電残量検出部８ｂは、例えば、所定の時間間隔毎（例えば、撮像タイミング毎等）に、所定の条件下で蓄電池８ａから供給可能な電力量を蓄電残量として検出する。また、蓄電残量検出部８ｂは、蓄電池８ａから最大限供給可能な満充電時の電力量に対して現時点で供給可能な電力量の相対的な割合を算出して蓄電残量としても良い。
なお、検出された蓄電残量は、メモリ２に出力されて、当該メモリ２に一時的に保持されても良い。
【００５８】
報知制御部７は、蓄電残量検出部８ｂにより検出された蓄電池８ａの蓄電残量を取得する蓄電残量取得部７ａを具備している（図５参照）。
蓄電残量取得部７ａは、撮像部３によるインターバル撮像処理の実行中に、所定の時間間隔毎（例えば、撮像タイミング毎等）に、蓄電残量検出部８ｂにより検出された蓄電池８ａの蓄電残量をメモリ２から読み出して取得する。
【００５９】
報知制御部７は、例えば、蓄電残量取得部７ａにより取得された蓄電池９ａの蓄電残量に応じた所定の報知態様で報知させるように報知部６を制御する。具体的には、例えば、報知制御部７は、放音部６ａに対して蓄電池９ａの蓄電残量（例えば、満充電に対する蓄電残量が７０％以上、２０％以上７０％未満、２０％未満等）に応じて放音の回数や周期や周波数を異ならせて放音部６ａから放音させる放音制御指示をそれぞれ出力する。
そして、放音部６ａは、報知制御部７から出力された放音制御指示が入力されると、当該放音制御指示に従って蓄電池９ａの蓄電残量に応じた所定の放音態様（例えば、第１〜第３の放音態様等）で放音する。
【００６０】
＜インターバル撮像処理＞
以下に、インターバル撮像処理について、図６を参照して詳細に説明する。
図６は、インターバル撮像処理に係る動作の一例を示すフローチャートである。
【００６１】
なお、以下に説明するインターバル撮像処理では、蓄電残量検出部８ｂによる蓄電残量の検出は、所定の時間間隔毎に繰り返し実行され、検出された蓄電残量は、メモリ２に逐次出力されて当該メモリ２に一時的に保持されるものとする。
【００６２】
図６に示すように、上記変形例１のインターバル撮像処理と略同様に、先ず、撮像制御部３ｃは、例えば、ユーザによる操作入力部９の所定操作に基づいて入力された撮像処理の時間間隔、一の撮像タイミングにおける静止画像の撮像枚数、撮像処理の開始時刻や終了時刻等を処理内容として設定する（ステップＳ１）。
続けて、撮像制御部３ｃは、設定された処理内容に基づいて、被写体の撮像タイミングであるか否か、即ち、被写体の撮像の開始タイミングであるか否かを判定する（ステップＳ２２）。
ここで、被写体の撮像タイミングでないと判定されると（ステップＳ２２；ＮＯ）、撮像制御部３ｃは、被写体の撮像タイミングであると判定（ステップＳ２２；ＹＥＳ）されるまで、当該判定処理を繰り返し実行する（ステップＳ２２）。
【００６３】
ステップＳ２２にて、被写体の撮像タイミングであると判定されると（ステップＳ２２；ＹＥＳ）、上記変形例１のインターバル撮像処理と略同様に、撮像制御部３ｃは、被写体の撮像処理を実行する（ステップＳ２３）。具体的には、撮像制御部３ｃは、レンズ部３ａを通過した被写体の光学像を電子撮像部３ｂにより二次元の画像信号に変換させる処理を行い、画像データ生成部４は、電子撮像部３ｂから転送された静止画像のＹＵＶデータ（画像データ）を生成した後、メモリ２に出力して当該メモリ２に格納させる。
【００６４】
次に、蓄電残量取得部７ａは、蓄電残量検出部８ｂにより検出された蓄電池８ａの蓄電残量をメモリ２から読み出して取得する（ステップＳ３４）。
続けて、報知制御部７は、蓄電残量取得部７ａにより取得された蓄電池８ａの蓄電残量に応じて処理を分岐させる（ステップＳ３５）。即ち、報知制御部７は、蓄電池８ａの蓄電残量が満充電に対して７０％以上である場合には（ステップＳ３５；７０％以上）、処理をステップＳ３６１に移行し、満充電に対して２０％以上７０％未満である場合には（ステップＳ３５；２０％〜７０％）、処理をステップＳ３６２に移行し、満充電に対して２０％未満である場合には（ステップＳ３５；２０％未満）、処理をステップＳ３６３に移行する。
【００６５】
蓄電残量が満充電に対して７０％以上である場合（ステップＳ３５；７０％以上）、報知制御部７は、報知部６に対してビープ音を第１の放音態様で放音部６ａから放音させる第１放音制御指示を出力する。そして、放音部６ａは、入力された第１放音制御指示に従って所定の周波数のビープ音を所定の周期で３回連続して（第１の放音態様で）放音する（ステップＳ３６１）。
また、蓄電残量が満充電に対して２０％以上７０％未満である場合（ステップＳ３５；２０％〜７０％）、報知制御部７は、報知部６に対してビープ音を第２の放音態様で放音部６ａから放音させる第２放音制御指示を出力する。そして、放音部６ａは、入力された第２放音制御指示に従って所定の周波数のビープ音を所定の周期で２回連続して（第２の放音態様で）放音する（ステップＳ３６２）。
また、蓄電残量が満充電に対して２０％未満である場合（ステップＳ３５；２０％未満）、報知制御部７は、報知部６に対してビープ音を第３の放音態様で放音部６ａから放音させる第３放音制御指示を出力する。そして、放音部６ａは、入力された第３放音制御指示に従って所定の周波数のビープ音を１回（第３の放音態様で）ビープ音を放音する（ステップＳ３６３）。
【００６６】
次に、上記変形例１のインターバル撮像処理と略同様に、撮像制御部３ｃは、設定された処理内容に基づいて、撮像の終了タイミングであるか否かを判定する（ステップＳ２７）。
ここで、撮像の終了タイミングでないと判定されると（ステップＳ２７；ＮＯ）、撮像制御部３ｃは、処理をステップＳ２２に戻し、被写体の撮像タイミングであるか否かを判定する（ステップＳ２２）。
【００６７】
ステップＳ２７にて、撮像の終了タイミングであると判定されると（ステップＳ２７；ＹＥＳ）、上記変形例１のインターバル撮像処理と略同様に、放音部６ａは、インターバル撮像処理が完了したことを表すビープ音を放音して（ステップＳ２８）、インターバル撮像処理を終了する。
【００６８】
従って、変形例２の撮像装置２００によれば、インターバル撮像処理の実行中に、検出された蓄電池８ａの蓄電残量を所定の放音態様で放音して報知するので、蓄電池８ａの蓄電残量に応じて放音態様を異ならせて放音することで当該装置本体の表示部等をユーザに視認させることなく、放音態様により蓄電池８ａの蓄電残量をユーザに容易に認識させることができる。
【００６９】
また、上記変形例１、２にあっては、特定の処理として、インターバル撮像処理を例示したが、一例であってこれに限られるものではなく、例えば、通常の動画撮像処理であっても良い。
【００７０】
さらに、上記実施形態並びに変形例１、２にあっては、放音部６ａの放音態様としてビープ音の放音回数を変更したものを例示したが、一例であってこれに限られるものではなく、適宜任意に変更可能である。例えば、所定の時間間隔毎のビープ音の放音回数は同数とし、特定の処理の進捗状況（蓄電池８ａの蓄電残量）に応じて、ビープ音の周波数を次第に高く或いは低くするように、或いはビープ音の周期を次第に長く或いは短くするように変更しても良い。
【００７１】
また、当該装置本体を所定の撮像モードで起動または終了させる処理の際にも、当該処理の進捗状況を所定の放音態様で放音して報知しても良い。
例えば、当該装置本体を静止画撮像モードで起動させる際には、ビープ音を２回連続して放音するとともに、２回目のビープ音の周波数を１回目よりも高くするようにする。一方、当該静止画撮像モードを終了する場合には、ビープ音を２回連続して放音するとともに、２回目のビープ音の周波数を１回目よりも低くするようにする。
また、例えば、当該装置本体を動画撮像モードで起動させる際には、ビープ音を３回連続して放音するとともに、２回目のビープ音の周波数を１回目よりも高くするとともに、３回目のビープ音の周波数を２回目よりも高くするようにする。一方、当該動画撮像モードを終了する場合には、ビープ音を３回連続して放音するとともに、２回目のビープ音の周波数を１回目よりも低くするとともに、３回目のビープ音の周波数を２回目よりも低くするようにする。
【００７２】
また、上記実施形態並びに変形例１、２にあっては、特定の処理の進捗状況（蓄電池８ａの蓄電残量）に応じて放音態様を異ならせて放音するようにしたが、これに加えて、例えば、図示しない発光部の発光態様（例えば、発光の有無、発光の周期、発光色等）を異ならせて発光させるようにしても良い。さらに、放音部６ａからの放音に代えて、例えば、バイブレーターのような振動部（図示略）の振動態様を異ならせて振動させるようにして特定の処理の進捗状況を報知しても良い。
【００７３】
また、撮像装置１００（２００）の構成は、上記実施形態に例示したものは一例であり、これに限られるものではない。即ち、報知装置として撮像装置１００（２００）を例示したが、一例であってこれに限られるものではなく、特定の処理の実行中に蓄電池８ａの蓄電残量を報知する構成であれば如何なるものであっても良い。
【００７４】
加えて、上記実施形態にあっては、処理手段、取得手段、報知手段としての機能を、中央制御部１のＣＰＵの制御下にて、画像データ生成部４、進捗状況取得部５、報知部６が駆動することにより実現される構成としたが、これに限られるものではなく、中央制御部１によって所定のプログラム等が実行されることにより実現される構成としても良い。
即ち、プログラムを記憶するプログラムメモリ（図示略）に、実行処理ルーチン、取得処理ルーチン、報知処理ルーチンを含むプログラムを記憶しておく。そして、実行処理ルーチンにより中央制御部１のＣＰＵを、特定の処理を実行する手段として機能させるようにしても良い。また、取得処理ルーチンにより中央制御部１のＣＰＵを、特定の処理の実行中に、所定の時間間隔毎に当該特定の処理の進捗状況を取得する手段として機能させるようにしても良い。また、報知処理ルーチンにより中央制御部１のＣＰＵを、取得された特定の処理の進捗状況を所定の態様で放音又は振動して報知する手段として機能させるようにしても良い。
【００７５】
同様に、撮像制御手段、検出手段についても、中央制御部１のＣＰＵによって所定のプログラム等が実行されることにより実現される構成としても良い。
【００７６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
特定の処理を実行する処理手段と、
この処理手段による前記特定の処理の実行中に、所定の時間間隔毎に当該特定の処理の進捗状況を取得する取得手段と、
この取得手段により取得された前記特定の処理の進捗状況を所定の態様で放音又は振動して報知する報知手段と、
を備えたことを特徴とする報知装置。
＜請求項２＞
前記取得手段は、
前記特定の処理を構成する全ての工程のうち、前記処理手段により所定の時点で実行済みの工程数の割合を、当該特定の処理の進捗状況として取得することを特徴とする請求項１に記載の報知装置。
＜請求項３＞
前記取得手段は、
前記処理手段による前記特定の処理の実行完了に要する時間に対する所定の時点までの実行時間の割合を、当該特定の処理の進捗状況として取得することを特徴とする請求項１に記載の報知装置。
＜請求項４＞
前記特定の処理は、所定数の画像に基づいて所定の符号化方式で符号化した映像を生成する処理を含むことを特徴とする請求項１〜３の何れか一項に記載の報知装置。
＜請求項５＞
撮像手段と、
所定の撮像スケジュールに従って、前記撮像手段が所定の時間間隔毎に撮像する撮像処理を実行させる撮像制御手段と、を更に備え、
前記処理手段は、前記撮像処理が完了したことを契機として、前記特定の処理を実行することを特徴とする請求項１〜４の何れか一項に記載の報知装置。
＜請求項６＞
前記報知手段は、更に、
前記撮像制御手段による前記撮像処理の実行中に、前記所定の撮像スケジュールに応じた所定の時点での当該撮像処理の進捗状況を所定の態様で放音又は振動して報知することを特徴とする請求項５に記載の報知装置。
＜請求項７＞
各部に電源を供給する蓄電池と、
この蓄電池の蓄電残量を検出する検出手段と、を更に備え、
前記報知手段は、
前記撮像制御手段による前記撮像処理の実行中に、前記検出手段により検出された前記蓄電池の蓄電残量を所定の態様で放音又は振動して報知することを特徴とする請求項５に記載の報知装置。
＜請求項８＞
報知装置を用いた報知方法であって、
特定の処理を実行する処理と、
前記特定の処理の実行中に、所定の時間間隔毎に当該特定の処理の進捗状況を取得する処理と、
取得された前記特定の処理の進捗状況を所定の態様で放音又は振動して報知する処理と、
を含むことを特徴とする報知方法。
＜請求項９＞
報知装置のコンピュータを、
特定の処理を実行する処理手段、
この処理手段による前記特定の処理の実行中に、所定の時間間隔毎に当該特定の処理の進捗状況を取得する取得手段、
この取得手段により取得された前記特定の処理の進捗状況を所定の態様で放音又は振動して報知する報知手段、
として機能させることを特徴とするプログラム。
【符号の説明】
【００７８】
１００  撮像装置
１      中央制御部
３      撮像部
３ｃ    撮像制御部
４      画像データ生成部
５      進捗状況取得部
６      報知部
６ａ    放音部
７      報知制御部
７ａ    蓄電残量取得部
８      電源部
８ａ    蓄電池
８ｂ    蓄電残量検出部
【図１】
2015055807.tif 000003
【図２】
2015055807.tif 000004
【図３】
2015055807.tif 000005
【図４】
2015055807.tif 000006
【図５】
2015055807.tif 000007
【図６】
2015055807.tif 000008